(57)【要約】      （修正有）【課題】天井や壁及び床との連結、更に家具の天板及び底板との連結も不要とし、家具の設置場所の制限もなく、地震に対して床面からの震動の縦波と横波による衝撃を減衰させる免震及び減震作用効果を得ると共に、家具類の前後浮き上がりを防止する簡単堅牢構造の家具類の転倒防止装置を提供する。【解決手段】床面に載置する基礎板２０１と、基礎板の上面と家具類の底面との間に介在させ気体又は液体又はゲル体を封入した弾性チューブ２０２と、基礎板の後部に下部を装着して立設した連結棒２０３と、連結棒の上部と家具類の裏面上部とを連結するジョイント２０４とを備え、ジョイントは家具類の裏面との装着具を有し装着具に斜め後上方に突出するフック棒を設けた止め金具と、止め金具のフック棒に挿入して位置固定するフック挿入穴と前記連結棒を挿入して位置固定するポール挿入穴を設けた被フックブロックとで構成する。【選択図】図１
0003184666.tif 000002
【実用新案登録請求の範囲】
【請求項１】
床面に載置する基礎板と、基礎板の上面と家具類の底面との間に介在させ気体又は液体又はゲル体を封入した弾性チューブと、前記基礎板の後部に下部を装着して立設した連結棒と、前記連結棒の上部と家具類の裏面上部とを連結するジョイントとを備え、前記ジョイントは家具類の裏面との装着具を有しこの装着具に斜め後上方に突出するフック棒を設けた止め金具と、前記止め金具のフック棒に挿入して位置固定するフック挿入穴と前記連結棒を挿入して位置固定するポール挿入穴を設けた被フックブロックとから構成したことを特徴とする家具類の転倒防止装置。
【考案の詳細な説明】
【技術分野】
【０００１】  本考案は、タンス、本箱、戸棚等の家具類の転倒防止装置に関するものである。
【背景技術】
【０００２】  特に地震国日本ではタンス、本箱、戸棚等の家具は、地震の程度つまり弱振、強震を問わずその転倒防止対策は必須のアイテムとして常備しなければならない。【０００３】  従来における家具類の転倒防止技術としては、いろいろの装置が開発されてきた。
従来の家具類の転倒防止技術は、基本的には家具の頂部と天井の間に設置する突っ張り機構が主体であった。【０００４】しかし、家具の頂部と天井の間に設置する突っ張り機構は、高所であるがために設置、施工には専門的な道具と作業者が必要であった。しかし天井の梁の位置とのマッチングがかなわない場合は強制的に家具類の配置を変更しなければならない。また梁が存在しない場合もありその際は当該機構の採用は不可能となり最悪であるが、家具類の高さを低いものに限定して倒壊損害程度の軽減を図る必要がある。【０００５】  そこで本考案者等は、特開２０１２−２３２０８７号公報により、天井や壁への梁の有無および家具類の高さ左右されずに、家具類への取り付けができ、しかも取り付けの際には専門的な道具と作業者を不要とし、一般の主婦の方でも簡単容易に取り付けが実施できる安価で堅牢なしかも家具類のインテリアとしての機能を損なわずに常設できる優れた家具類の転倒防止装置を紹介した。【０００６】この家具類の転倒防止装置は、家具類の設置床に竪設するものであって、家具類の裏面側の下部両側部が位置する家具類設置床に固定する床ジョイントを有し、家具類の裏面側の上部両側部の各々に装着する着脱ジョイントを有し、床ジョイントに下端部を揺動可能に装着し上端部をシャフト着脱ジョイントに離脱可能に連結する家具連結シャフトを有し、前記家具連結シャフトは上下分割タイプとし、上シャフトと下シャフトは長さ調節用のジョイントで連結し、前記上シャフトの上部に被ジョイントを具備し、被ジョイントは、上下摺動動作可能に装着したシリンダー本体とピストン本体とを有し、シリンダー本体は頂部にピンシャフトとこれに螺合するロック螺子を突設し、内部と挿入したピストン本体とを連結するスプリングを伸長状態で内蔵し、ピストン本体は下部を筒体にしこれに上シャフトを挿入して螺子で連結固定し、ピストン本体の外周に所定長さのキー溝を設けシリンダー本体には前記キー溝に挿入しシリンダー本体の上下移動を制限するロックピンを設け、前記シャフト着脱ジョイントは、家具類の裏面に装着する本体と、これに接続し前記被ジョイントのピンシャフトを左右から挿出入する開放部を形成した二股アームとを有し、開放部に挿入したピンシャフトのロック螺子を締めてシリンダー本体の頂部とロック螺子間に二股アームを挟持固定し、前記床ジョイントは、下シャフトの下部を揺動可能に連結支持する軸着部と同軸着部をフローリング式床に螺合連結する基部とからなり、又は軸着部を吸盤支持体を介してフローリング式床に吸着連結する吸盤とからなり、又は軸着部を畳式床を挟持連結する断面コ字型の基部とからなることを特徴とするものであった。
【考案の概要】
【考案が解決しようとする課題】
【０００７】  前記提案した家具類の転倒防止装置は、建物に連結設置する必要がなく堅牢であるが複雑な構造構成でありその取り付けが煩雑で手間と時間及び費用の掛るものであった。また地震に対する免震及び減震作用に乏しい。【０００８】そこで本考案者は、天井や壁及び床との連結を不要にし、更に家具の天板及び底板との連結も不要とし、また家具の設置場所の制限もなく、予め家具の配置する床や畳の上に配置した上で、当該家具を載せその後、ジョイントにより家具の背面と連結するのみで取り付け作業を完了すると共に、地震に対して床面からの震動の縦波及び横波による衝撃を減衰させる免震及び減震作用効果を有する簡単堅牢構造の家具類の転倒防止装置を開発し提供するものである。
【課題を解決するための手段】
【０００９】  本考案は上記の課題を満足するものでありその特徴とするところは次の（１）の通りである。
（１）、床面に載置する基礎板と、基礎板の上面と家具類の底面との間に介在させ気体又は液体又はゲル体を封入した弾性チューブと、前記基礎板の後部に下部を装着して立設した連結棒と、前記連結棒の上部と家具類の裏面上部とを連結するジョイントとを備え、前記ジョイントは家具類の裏面との装着具を有しこの装着具に斜め後上方に突出するフック棒を設けた止め金具と、前記止め金具のフック棒に挿入して位置固定するフック挿入穴と前記連結棒を挿入して位置固定するポール挿入穴を設けた被フックブロックとから構成したことを特徴とする家具類の転倒防止装置。
【考案の効果】
【００１０】  本考案は前記構成のように簡単堅牢構造にした家具類の転倒防止装置である。
即ち本考案の家具類の転倒防止装置は、壁及び床との連結及び、家具の天板及び底板との連結も必要が無く、また連結棒の長さを汎用性ある長さサイズに用意すれば、家具の高さに左右されず、設置場所の制限もなく、家具類への取り付けが簡単にでき、しかも取り付けの際には専門的な道具と作業者を不要とし、一般の主婦の方でも簡単容易に取り付けが実施できる安価で堅牢なしかも家具類のインテリアとしての機能を損なわずに常設できる優れた装置である。【００１１】  そして家具類への取り付けは、基礎板の上面に流体封入済みの弾性チューブを載置し、基礎板の後部に連結棒を装着して立て、連結棒にジョイントの被フックブロックのポール挿入穴に通して仮止めした状態にして、予め家具の配置する任意の床面上に配置する。次いで予めジョイントの止め金具を背面に取り付けておいた当該家具を、弾性チューブの上に載せ、この後止め金具と被フックブロックとを連結するのみで、取り付け作業を完了するのである。
これで地震に対して床面からの震動の縦波及び横波による衝撃を流体封入済みの弾性チューブで減衰させる免震及び減震作用効果を呈し家具類を地震から守るのである。
作用として前記基礎板は気体、液体、ゲル状のものを充填したチューブ（強度の関点からタイヤと同じように二重のものが好ましい）により、前記免震減震効果を得ると共に、このチューブがあることにより、家具の重みにより基礎板の一端の震動時に浮き上がることを抑止し、家具の上部に取付けたジョイント及び基礎板とジョイント間の連結棒により家具の前後の浮き上がりを防ぐことが出来る。【００１２】
【図面の簡単な説明】
【００１３】
【図１】（１）は、本考案の家具類の転倒防止装置の実施例を示す全体側面図であり、（２）は、下部の弾性チューブの変形例を示す。
【図２】（１）は、図１に示す転倒防止装置を家具の背面側に配置した全体説明図であり、（２）は、下部の弾性チューブの変形例を示す。
【図３】図１〜図２に示すジョイントの分解斜視説明図である。
【図４】図３に示すジョイントの組み立て拡大斜視説明図である。
【考案を実施するための最良の形態】
【００１４】  本考案を実施するための最良の形態は、上記の特徴に記載の技術条件を備えたものであり、その具体的な実施形態を次の実施例において詳細に紹介する。
【実施例】
【００１５】図１〜図４において、本例の家具類の転倒防止装置は、床面Ｆ上に載置する基礎板２０１と、各基礎板２０１上と家具類１００の底面１０１との間に介在させる弾性チューブ２０２と、基礎板２０１の後部に下部を装着して立設した連結棒２０３と、連結棒２０３と家具類１００の裏面１０２とを連結するジョイント２０４とからなる。【００１６】基礎板２０１は、木材板、金属板、硬質樹脂板製にし、家具類１００の奥行きと幅サイズに応じて、床面Ｆ上に一体に或いは複数に所定間隔で分割して載置する。【００１７】弾性チューブ２０２は、図１（１）と図２（１）に示すようにチューブ内を一体の封入室２０２−１とし、或いは図１（２）と図２（２）に示すようにチューブ内を複数に仕切った封入室２０２−２とし、この封入室２０２−１、２０２−２に気体又は液体又はゲル体２０２−３を室内容量変化が生じないように封入してあり、封入室の形状は変形するが容量は変化しない弾性材質例えば硬質な天然樹脂、人工樹脂、或いは薄膜金属、軟質金属などで形成して、家具の安定載置支持と床面殻の振動衝撃の緩和機能を持たせる。【００１８】  弾性チューブ２０２は、家具類１００が載置されているからその重量は弾性チューブ２０２の封入室２０２−１、２０２−２内の流体に均一に分散され基礎板２０１の上面に等価に分布されるため家具類１００は安定した載置状態で支承される。このため地震が起きても床面Ｆからの振動衝撃が弾性チューブの封入室２０２−１、２０２−２にある流体の微小流動によるクッション作用により吸収されて家具類１００への伝播作用が激減し且つ家具類１００の共振を防止して家具類１００を安全に保護することができる。【００１９】連結棒２０３は、基礎板２０１の後部に設けた挿入支持管２０１−１に下部を挿入して止めネジ２０１−３で固定し、上部を家具類１００にジョイント２０４で連結して家具類の前後浮き上がりを抑制するものである。【００２０】前記ジョイント２０４は、家具類１００の裏面１０２に装着する装着具２０４ａ−１と、この装着具２０４ａ−１に斜め後上方に突出するフック棒２０４ａ−２を設けた止め金具２０４ａと、止め金具２０４ａのフック棒２０４ａ−２を挿入するフック挿入穴２０４ｂ−１と、連結棒２０３を挿入するポール挿入穴２０４ｂ−２有する被フックブロック２０４ｂとから構成した簡単なしかも堅牢な機構である。
このジョイント２０４は、家具類１００背面１０２に装着固定した止め金具２０４ａのフック棒２０４ａ−２を、連結棒２０３に止めネジ２０４ｂ−３で位置固定した被フックブロック２０４ｂのフック挿入穴２０４ｂ−１に挿入して、止めネジ２０４ｂ−４で位置固定する。これで家具類１００の浮き上がり力を緩衝して上下位置変動を防止する。
【産業上の利用可能性】
【００２１】  本考案は前述の優れた安全効果を有するため、家具類の生産産業界の生産者は勿論、使用するユーザーにも多大な貢献をもたらすものである。
【符号の説明】
【００２２】１００：家具類                              ２０４：ジョイント
１０１：底面                                ２０４ａ−１：装着具
１０２：裏面                                ２０４ａ−２：フック棒
２０１：基礎板                              ２０４ａ：止め金具
２０１−１：挿入支持管                      ２０４ｂ：被フックブロック
２０２：弾性チューブ                        ２０４ｂ−１：フック挿入穴
２０２−１、２０２−２：封入室              ２０４ｂ−２：ポール挿入穴
２０３：連結棒
【図１】
0003184666.tif 000003
【図２】
0003184666.tif 000004
【図３】
0003184666.tif 000005
【図４】
0003184666.tif 000006